(57)【要約】【課題】車両に搭載された鉛電池の充放電負荷を軽減する技術を提供する。【解決手段】第１蓄電装置１１０は、車両内のスタータ１１６と電装品１２２に給電する鉛電池である。第２蓄電装置１１２は、第１蓄電装置１１０に並列に接続され、かつ車両内のスタータ１１６と電装品１２２に給電する二次電池である。第２蓄電装置１１２では、１０個のニッケル水素電池１５２によって構成されたニッケル水素電池系列１５０が２並列に接続されることによって構成されている。【選択図】図１
2015012682.tif 000002
【特許請求の範囲】
【請求項１】
車両内の負荷に給電する鉛電池と、
前記鉛電池に並列に接続され、かつ車両内の負荷に給電する二次電池とを備え、
前記二次電池は、少なくともひとつのセルであって、かつ鉛電池以外のセルが２並列に接続されることによって構成されていることを特徴とする電源装置。
【請求項２】
前記二次電池は、少なくともひとつのニッケル水素電池セルが２並列に接続されることによって構成されていることを特徴とする請求項１に記載の電源装置。
【請求項３】
前記二次電池の放電抵抗は、前記鉛電池の放電抵抗と同じか、前記鉛電池の放電抵抗よりも低いことを特徴とする請求項１または請求項２に記載の電源装置。
【請求項４】
前記鉛電池と前記二次電池とは、車両に搭載された発電機によって発電された電力を蓄えるとともに、車両に搭載されたエンジンを始動させるためのモータへの給電と、車両内の電装品への給電とを少なくとも実行することを特徴とする請求項１から３のいずれかに記載の電源装置。
【請求項５】
前記鉛電池と前記二次電池との両方から、車両に搭載されたエンジンを始動させるためのモータへの給電がなされることを特徴とする請求項４に記載の電源装置。
【発明の詳細な説明】
【技術分野】
【０００１】
本発明は、電源装置、特に車両に搭載される電源装置に関する。
【背景技術】
【０００２】
近年、アイドリングストップシステムおよび減速エネルギー回生システムを搭載した車両が普及してきている。そのような車両に搭載される蓄電池では充放電が多くなり、劣化が進行しやすくなる。そこで、低コストで蓄電容量の大きい鉛電池と、サイクル特性に優れたニッケル水素電池あるいはリチウムイオン電池とが接続される（例えば、特許文献１参照）。
【先行技術文献】
【特許文献】
【０００３】
【特許文献１】特開２０１１−１６２１１２号公報
【発明の概要】
【発明が解決しようとする課題】
【０００４】
蓄電池は、エンジンのスタータおよび各種の電装品に電力を供給すべきである。鉛電池とニッケル水素電池とを並列接続した場合におけるニッケル水素電池の役割は、電装品への電力供給である。これにより鉛電池の充放電負荷が軽減され、鉛電池のＳＯＣ低下に伴う活物質劣化が抑制される。一方で、スタータへの給電を鉛電池が行なう場合、頻繁な大電流放電によって、鉛電池の負極耳部の腐食が促進される。また、より高レベルの低燃費を目的として、モータアシストが取り組まれているが、この場合、鉛電池の大電流放電頻度がさらに増加するので、負極耳部腐食はさらに促進される。そのため、鉛電池の充放電負荷のさらなる軽減が望まれる。
【０００５】
本発明はこうした状況に鑑みなされたものであり、その目的は、車両に搭載された鉛電池の充放電負荷を軽減する技術を提供することにある。
【課題を解決するための手段】
【０００６】
上記課題を解決するために、本発明のある態様の電源装置は、車両内の負荷に給電する鉛電池と、鉛電池に並列に接続され、かつ車両内の負荷に給電する二次電池とを備える。二次電池は、少なくともひとつのセルであって、かつ鉛電池以外のセルが２並列に接続されることによって構成されている。
【発明の効果】
【０００７】
本発明によれば、車両に搭載された鉛電池の充放電負荷を軽減できる。
【図面の簡単な説明】
【０００８】
【図１】本発明の実施例１に係る車載用蓄電システムの構成を示す図である。
【図２】図１の第１蓄電装置の内部構造を示す斜視図である。
【図３】各種の構成の電池に対する放電抵抗と抵抗比率を示すテーブルである。
【図４】本発明の実施例２に係る車載用蓄電システムの構成を示す図である。
【図５】本発明の実施例３に係る車載用蓄電システムの構成を示す図である。
【図６】本発明の実施例４に係る車載用蓄電システムの構成を示す図である。
【発明を実施するための形態】
【０００９】
（実施例１）
本発明の実施例を具体的に説明する前に、概要を述べる。実施例１は、アイドリングストップ機能およびエネルギー回生機能を有する車両に搭載される車載用蓄電システムに関する。アイドリングストップ機能は、車両停止時に自動的にエンジンを停止させ、発進時に自動的にエンジンを再始動させる機能である。エネルギー回生機能は、主に減速する際の車両の運動エネルギーによりオルタネータを作動させ、オルタネータが発電したエネルギーにより車載用蓄電システム等に電力を供給する機能である。いずれの機能も燃費を向上させる効果がある。アイドリングストップ機能が搭載された車両ではエンジンの始動回数が多くなる。エンジンは通常、車載用蓄電システムにより駆動されるスタータにより始動される。したがってエンジンの始動回数が多くなるとバッテリの消費電力が大きくなり、放電回数が多くなる。またエネルギー回生機能が搭載された車両では、車両の減速時に集中的にオルタネータが発電されるため、大容量で効率的な充電が必要とされる。
【００１０】
車載用蓄電システムには鉛電池が多く使用されている。放電により鉛電池が放電下限電圧に到達した場合、オルタネータを稼動させ、鉛電池を充電する。これにより鉛電池の放電深度が深くなることを抑制し、鉛電池の劣化を抑制している。しかしながら、このような制御によりアイドリングストップ時間が短くなり、燃費改善効果が小さくなる。一方、ニッケル水素電池、リチウムイオン電池は、鉛電池と比較し、深い放電深度まで利用することができるが、鉛電池よりもコストが高くなる。
【００１１】
これらの状況を考慮して、車載用蓄電システムでは、鉛電池とニッケル水素電池とが並列接続される。このような構成において所望の電圧を得るために、複数のニッケル水素電池が直列に接続される（以下、直列に接続された複数のニッケル水素電池を「ニッケル水素電池系列」という）。ニッケル水素電池系列の放電抵抗が鉛電池の放電抵抗よりもある程度高ければ、ニッケル水素電池系列を鉛電池に並列に接続しても、鉛電池の充放電負荷の軽減としては不十分である。そのため、鉛電池の大電流放電頻度が増加し、鉛電池の負極耳部腐食が促進される。特に、アイドリングストップによってエンジンが頻繁に停止すると、鉛電池からの放電量が増加するので、鉛電池の負極耳部腐食がさらに促進される。これらに対応するために、本実施例では、ふたつのニッケル水素電池系列を並列に接続する。ふたつのニッケル水素電池系列の放電抵抗が鉛電池の放電抵抗と同等になるので、鉛電池の充放電負荷が軽減され、鉛電池の大電流放電頻度の増加が抑制される。その結果、電流密度が低減され、鉛電池の負極耳部腐食が抑制される。
【００１２】
図１は、本発明の実施例１に係る車載用蓄電システム１００の構成を示す。車載用蓄電システム１００は、第１蓄電装置１１０、第２蓄電装置１１２、電源管理装置１１４、ＤＣ−ＤＣコンバータ１３０を含む。第２蓄電装置１１２は、ニッケル水素電池系列１５０と総称される第１ニッケル水素電池系列１５０ａ、第２ニッケル水素電池系列１５０ｂを含む。第１ニッケル水素電池系列１５０ａは、第１１ニッケル水素電池１５２ａａ、第１２ニッケル水素電池１５２ａｂ、第１３ニッケル水素電池１５２ａｃ、第１４ニッケル水素電池１５２ａｄ、第１５ニッケル水素電池１５２ａｅ、第１６ニッケル水素電池１５２ａｆ、第１７ニッケル水素電池１５２ａｇ、第１８ニッケル水素電池１５２ａｈ、第１９ニッケル水素電池１５２ａｉ、第１１０ニッケル水素電池１５２ａｊを含む。第２ニッケル水素電池系列１５０ｂは、第２１ニッケル水素電池１５２ｂａ、第２２ニッケル水素電池１５２ｂｂ、第２３ニッケル水素電池１５２ｂｃ、第２４ニッケル水素電池１５２ｂｄ、第２５ニッケル水素電池１５２ｂｅ、第２６ニッケル水素電池１５２ｂｆ、第２７ニッケル水素電池１５２ｂｇ、第２８ニッケル水素電池１５２ｂｈ、第２９ニッケル水素電池１５２ｂｉ、第２１０ニッケル水素電池１５２ｂｊを含む。第１１ニッケル水素電池１５２ａａ等は、ニッケル水素電池１５２と総称される。車載用蓄電システム１００には、スタータ１１６、スタータ用スイッチ１１８、オルタネータ１２０、電装品１２２、ＥＣＵ１２４が接続される。
【００１３】
オルタネータ１２０は、図示しないエンジンにより交流電力を発電し、さらにエネルギー回生機能の車両においては減速時の運動エネルギーによっても発電する。ここでは主に減速中の発電について述べる。オルタネータ１２０が発電した交流は、図示しないレギュレータ、整流器等の回路により直流に変換され、オルタネータ１２０の電力が電装品１２２、車載用蓄電システム１００に供給される。
【００１４】
スタータ１１６は、エンジン始動用モータである。スタータ１１６はスタータ用スイッチ１１８を介して、車載用蓄電システム１００の出力系統に接続される。スタータ用スイッチ１１８にはリレーあるいは半導体スイッチが使用される。運転者の操作により図示しないイグニッションスイッチがオンされる場合、あるいはアイドリングストップの状態から復帰する場合、スタータ用スイッチ１１８がオンし、車載用蓄電システム１００からスタータ１１６に電力が供給され、スタータ１１６が始動する。スタータ１１６によりエンジンが始動すると、スタータ用スイッチ１１８がオフされる。スタータ用スイッチ１１８のオンになってからオフとするまでの時間は通常約１秒以内である。
【００１５】
電装品１２２は、ヘッドライト、エアコン、デフォッガ、オーディオ、メータ、ストップランプ、フォグランプ、ウィンカ、パワーステアリング、パワーウインドウ、エンジン電装品などの車両内に搭載される各種電気負荷を示す総称である。ここでは、説明の便宜上、オルタネータ１２０、スタータ１１６、ＥＣＵ１２４は電装品１２２とは別に扱っている。また電装品１２２は車載用蓄電システム１００からも供給される電力により駆動されている。
【００１６】
ＥＣＵ１２４は、車両内に搭載される各種の補機、センサ、スイッチに接続され、エンジンおよび各種補機を電子制御する。アイドリングストップ機能を実行する場合、ＥＣＵ１２４は、ブレーキ、車速センサ等から入力される信号をもとに車両の停止または設定速度以下への減速を検出するとエンジンを停止させる。また、ＥＣＵ１２４は、ブレーキが解除されたことを検出するとエンジンを再始動させる。その際、ＥＣＵ１２４は、車載用蓄電システムからスタータ１１６に電力が供給されるよう制御し、スタータ１１６を作動させる。
【００１７】
減速エネルギー回生機能を実行する場合、ＥＣＵ１２４は、通常走行時、オルタネータ１２０を原則的に停止させる。ＥＣＵ１２４は、ブレーキ、車速センサ等から入力される信号をもとに車両の減速を検出するとオルタネータ１２０を作動させる。なお、車載用蓄電システム１００内のバッテリの容量が設定下限容量より低い場合、ＥＣＵ１２４は、通常走行時でもオルタネータ１２０を作動させてもよい。
【００１８】
車載用蓄電システム１００のうちの第１蓄電装置１１０は、オルタネータ１２０により発電された電力を蓄え、スタータ１１６および電装品１２２に給電するためのメインバッテリである。ここで、スタータ１１６および電装品１２２は、車両内の負荷である。第１蓄電装置１１０の一例は、鉛電池である。鉛電池には、比較的安価、比較的広い温度範囲で動作可能、高出力などの長所があり、車両用の蓄電池として広く普及している。ただし充放電エネルギー効率が低い、過放電に弱い、サイクル寿命が短いなどの短所がある。
【００１９】
図２は、第１蓄電装置１１０の内部構造を示す斜視図である。第１蓄電装置１１０は、端子１７０、電槽１７２、接続体１７４、負極耳部１７６、正極板１７８、セパレータ１８０、負極板１８２を含む。端子１７０は、外部に接続される。端子１７０を介しての外部との接続によって、車載用蓄電システム１００は、充電されるとともに、放電する。正極板１７８は、電極格子として鉛または鉛合金を使用し、活物質として二酸化鉛を使用する。負極板１８２は、電極格子として鉛または鉛合金を使用し、活物質として鉛を使用する。セパレータ１８０は、合成樹脂で形成され、かつ多孔質である。また、セパレータ１８０は、正極板１７８と負極板１８２とを隔離するための板である。
【００２０】
負極耳部１７６は、正極板１７８と負極板１８２のそれぞれの上部に設けられた突起部である。ＰＳＯＣ（Ｐａｒｔｉａｌ  Ｓｔａｔｅ  ｏｆ  Ｃｈａｒｇｅ：中間充電状態）で充放電を頻繁に繰り返すと、負極耳部１７６が腐食しやすくなる。腐食が進行すると内部断線して充放電不可能になり、電力の供給が困難になる。接続体１７４は、負極耳部１７６と結合されることによって、互いに極性の異なった正極板１７８と負極板１８２とを接続する。電槽１７２は、正極板１７８、負極板１８２、セパレータ１８０を組み合わせた極群や電解液を収納する容器である。なお、電解液として、希硫酸が使用される。図１に戻る。
【００２１】
第２蓄電装置１１２は、オルタネータ１２０により発電された電力を蓄え、スタータ１１６および電装品１２２に給電するためのサブバッテリである。つまり、第１蓄電装置１１０と第２蓄電装置１１２との両方から、スタータ１１６への給電がなされる。第１蓄電装置１１０と第２蓄電装置１１２は並列接続される。少なくともひとつ、例えば「１０」のニッケル水素電池１５２が直列に接続されることによって、ニッケル水素電池系列１５０が形成され、ふたつのニッケル水素電池系列１５０が並列に接続されることによって、第２蓄電装置１１２が形成されている。
【００２２】
ここでは、「ふたつ」のニッケル水素電池系列１５０を並列に接続した理由を図３をもとに説明する。図３は、各種の構成の電池に対する放電抵抗と抵抗比率を示すテーブルである。第１蓄電装置１１０である鉛電池の放電抵抗は、１０ｍΩである。一方、ひとつのニッケル水素電池系列１５０の放電抵抗は、１８ｍΩであり、鉛電池に対する抵抗比率は１．８０である。このような構成では、ニッケル水素電池系列１５０の放電抵抗が、鉛電池の放電抵抗よりも大きくなるので、鉛電池の充放電頻度が多くなる。
【００２３】
ふたつのニッケル水素電池系列１５０の放電抵抗は、１０ｍΩであり、鉛電池に対する抵抗比率は１．０である。このようにふたつのニッケル水素電池系列１５０の放電抵抗は、鉛電池の放電抵抗と同じになる。なお、ふたつのニッケル水素電池系列１５０の放電抵抗が、鉛電池の放電抵抗よりも低くくてもよい。このように構成することによって、第２蓄電装置１１２が車両始動およびモータアシストの負荷を大きく受けもつことができるようになる。その結果、鉛電池の充放電頻度が少なくなることによって、鉛電池の電流負荷が軽減されて、図２の負極耳部１７６の腐食が抑制される。なお、ニッケル水素電池系列１５０において、ニッケル水素電池１５２のサイズを倍にしても期待の抵抗低減が得られない。また、３つ以上のニッケル水素電池１５２を並列に接続すると、ニッケル水素電池系列１５０間の電流ばらつきを制御するために、煩雑な制御機構が必要になる。これによって、コストが上昇する。図１に戻る。
【００２４】
ニッケル水素電池には、充放電エネルギー効率が比較的高い、過充電および過放電に強い、使用温度範囲が広い、ＳＯＣ（Ｓｔａｔｅ  Ｏｆ  Ｃｈａｒｇｅ）範囲が広い、サイクル寿命が比較的長いなどの長所がある。また、ニッケル水素電池は、低劣化で放電深度の深い領域まで利用できる推奨放電深度（ＤＯＤ：Ｄｅｐｔｈ  ｏｆ  Ｄｉｓｃｈａｒｇｅ）が広い電池である。ただし、自己放電が大きい、メモリ効果がある、低電圧、鉛電池より高価などの短所がある。
【００２５】
アイドリングストップ機能を採用する場合、スタータ１１６の使用回数が増えるため、蓄電池の容量を増大させる必要がある。その際、単純に鉛電池の容量を増大させるのではなく、性質が異なる複数種類の蓄電池を組み合わせて使用することにより、それぞれの蓄電池の短所を補いつつ蓄電池全体の容量を増大させる。ここでは、鉛電池とニッケル水素電池を組み合わせて使用する例を説明するが、鉛電池とリチウムイオン蓄電池を組み合わせて使用してもよい。リチウムイオン蓄電池は、エネルギー密度および充放電エネルギー効率が高く、高性能な蓄電池であるが、厳格な電圧・温度管理が必要である。
【００２６】
一般的に蓄電池はエンジンルームに設置される。エンジンルームに鉛電池と一体的に設置するには、ニッケル水素電池のほうがリチウムイオン蓄電池より適している。エンジンルームはエンジン作動時に温度が上昇するが、ニッケル水素電池のほうがリチウムイオン蓄電池より熱安定性がよい。なお、鉛電池と並列接続されるリチウムイオン蓄電池をエンジンルームから離れた位置に設置することも考えられるが、その場合、配線抵抗による損失が大きくなる。
【００２７】
ＤＣ−ＤＣコンバータ１３０は、エンジンのクランキング時およびアイドリングストップ状態からの再始動時に、車載用蓄電システム１００から電装品１２２へ至る経路の電圧が所定電圧以下に下がらないよう電圧補償するために設けられる。一般的に上述の経路は１２Ｖに設計される。電装品１２２の中には、カーナビゲーションシステムなど１０Ｖ程度まで電圧が下がると、リセットされてしまうものがある。これに対してスタータ１１６の作動時、ＥＣＵ１２４がＤＣ−ＤＣコンバータ１３０を作動させることにより第２蓄電装置１１２の充放電端子の電位が安定し、電装品１２２に安定した電圧を供給し続けることができる。
【００２８】
電源管理装置１１４は、第１蓄電装置１１０、第２蓄電装置１１２を管理制御する。電源管理装置１１４は、ＣＡＮ（Ｃｏｎｔｒｏｌｌｅｒ  Ａｒｅａ  Ｎｅｔｗｏｒｋ）を介してＥＣＵ１２４に接続されることによって、電源管理装置１１４とＥＣＵ１２４との間において通信がなされる。電源管理装置１１４は、ＥＣＵ１２４から車両の動作に関する情報、例えば、エンジン動作中、アイドリングストップが示された情報を電源管理装置１１４から受けつけ、受けつけた情報に応じて第２蓄電装置１１２の充放電を切りかえる。
【００２９】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ハードウエアとソフトウエアの組合せによっていろいろな形で実現できることは、当業者には理解されるところである。
【００３０】
本発明の実施例によれば、鉛電池に配列に接続されたニッケル水素電池系列を２並列とすることによって、蓄電池の放電抵抗に、ふたつのニッケル水素電池系列の放電抵抗を近くできる。また、ふたつのニッケル水素電池系列の放電抵抗が低くなるので、鉛電池の充放電負荷を軽減できる。また、ふたつのニッケル水素電池系列の放電抵抗が低くなるので、鉛電池の放電頻度を低減できる。また、鉛電池の放電頻度が低減されるので、鉛電池の負極耳部の腐食を抑制できる。また、１０個のニッケル水素電池が直列に接続されることによって、ニッケル水素電池系列が形成されているので、必要とされる電圧を取得できる。また、第１蓄電装置と第２蓄電装置とは、オルタネータによって発電された電力を蓄えるとともに、スタータ１１６への給電と、電装品１２２への給電とを少なくとも実行するので、第１蓄電装置の負担を軽減できる。また、第１蓄電装置と第２蓄電装置との両方から、スタータ１１６への給電がなされるので、第１蓄電装置の負担を軽減できる。
【００３１】
（実施例２）
次に、本発明の実施例２を説明する。実施例２は、実施例１と同様に、アイドリングストップ機能およびエネルギー回生機能を有する車両に搭載される車載用蓄電システムに関する。実施例１における車載用蓄電システムは、ＤＣ−ＤＣコンバータを含むが、実施例２における車載用蓄電システムは、ＤＣ−ＤＣコンバータを含まない。
【００３２】
図４は、本発明の実施例２に係る車載用蓄電システム１００の構成を示す。車載用蓄電システム１００は、図１の車載用蓄電システム１００からＤＣ−ＤＣコンバータ１３０が除外されている。前述のごとく、ＤＣ−ＤＣコンバータ１３０は、エンジンのクランキング時およびアイドリングストップ状態からの再始動時に、車載用蓄電システム１００から電装品１２２へ至る経路の電圧が所定電圧以下に下がらないよう電圧補償するために設けられている。しかしながら、第２蓄電装置１１２が、ふたつのニッケル水素電池系列１５０の並列接続によって構成されることによって、第２蓄電装置１１２からの電力の供給がされやすくなる。そのため、エンジンのクランキング時およびアイドリングストップ状態からの再始動時に、車載用蓄電システム１００から電装品１２２へ至る経路の電圧が所定電圧以下に下がらない。
【００３３】
本発明の実施例によれば、ＤＣ−ＤＣコンバータが含まれないので、車載用蓄電システムの構成を簡易にできる。
【００３４】
（実施例３）
次に、本発明の実施例３を説明する。実施例３は、これまでと同様に、アイドリングストップ機能およびエネルギー回生機能を有する車両に搭載される車載用蓄電システムに関する。これまでは、車両に搭載されたエンジンを始動させるためのモータとしてスタータが備えられ、発電するためにオルタネータが備えられている。実施例３では、これらの代わりに、モータジェネレータが備えられる。
【００３５】
図５は、本発明の実施例３に係る車載用蓄電システム１００の構成を示す。車載用蓄電システム１００は、図１の車載用蓄電システム１００におけるスタータ１１６、オルタネータ１２０の代わりに、モータジェネレータ１３２が含まれる。モータジェネレータ１３２は、走行駆動源であるモータとして機能する力行運転モードと、発電機として機能する回生運転モードとのふたつの運転状態をとり得るように構成されている。
【００３６】
本変形例によれば、スタータとオルタネータとの代わりにモータジェネレータを含むので、車載用蓄電システムが搭載される車両の構成の自由度を向上できる。
【００３７】
（実施例４）
次に、本発明の実施例４を説明する。実施例４は、これまでと同様に、アイドリングストップ機能およびエネルギー回生機能を有する車両に搭載される車載用蓄電システムに関する。スタータを動作させる場合の電力変動によって、電装品に供給される電力が変動されうる。実施例４では、電装品に供給される電力を安定させるために、スタータを動作させる場合に、鉛電池とニッケル水素電池との接続を切断することによって、ニッケル水素電池の電力供給先を電装品に限定させる。
【００３８】
図６は、本発明の実施例４に係る車載用蓄電システム１００の構成を示す。車載用蓄電システム１００は、図１の車載用蓄電システム１００に対して、ダイオード１２６、並列接続用スイッチ１２８がさらに含まれる。
【００３９】
並列接続用スイッチ１２８は、車載用蓄電システム１００中において第１蓄電装置１１０と第２蓄電装置１１２とを並列接続するための経路に配置される。並列接続用スイッチ１２８がオンされている場合に、第１蓄電装置１１０と第２蓄電装置１１２とが並列に接続される。一方、並列接続用スイッチ１２８がオフされている場合に、第１蓄電装置１１０と第２蓄電装置１１２とが別々に配置される。また、並列接続用スイッチ１２８と並列にダイオード１２６が配置される。ダイオード１２６が配置されることによって、並列接続用スイッチ１２８がオフされている場合に、第２蓄電装置１１２から第１蓄電装置１１０への電流が抑止される。なお、並列接続用スイッチ１２８のオン／オフは、電源管理装置１１４によって制御される。
【００４０】
第１蓄電装置１１０と第２蓄電装置１１２は、並列接続用スイッチ１２８がオンにされている場合、車両内の複数の負荷に給電可能であり、並列接続用スイッチ１２８がオフにされている場合、複数の負荷のうち、互いに異なった負荷に独立して給電可能である。具体的に説明すると、第１蓄電装置１１０は、並列接続用スイッチ１２８がオフにされている場合、スタータ１１６への給電を実行する。第２蓄電装置１１２は、並列接続用スイッチ１２８がオフにされている場合、車両内の電装品１２２への給電を実行する。
【００４１】
電源管理装置１１４は、ＥＣＵ１２４から、エンジンの動作状態に関する通知を受けつける。この通知は、エンジン動作あるいはアイドリングストップを示す。電源管理装置１１４は、受けつけた通知がアイドリングストップからエンジン動作へ遷移した場合、並列接続用スイッチ欄２１８のオフを決定する。一方、電源管理装置１１４は、並列接続用スイッチ１２８をオフしてから一定期間経過後、並列接続用スイッチ１２８のオンを決定する。なお、アイドリングストップが、エンジン停止であってもよい。
【００４２】
本変形例によれば、並列接続用スイッチがオフにされている場合、第１蓄電装置がスタータへの給電を実行し、第２蓄電装置が電装品への給電を実行するので、スタータ使用時に電装品への電力供給を安定化できる。
【００４３】
以上、本発明を実施例をもとに説明した。この実施例は例示であり、それらの各構成要素あるいは各処理プロセスの組合せにいろいろな変形例が可能なこと、またそうした変形例も本発明の範囲にあることは当業者に理解されるところである。
【００４４】
本発明の実施例において、１０個のニッケル水素電池１５２が直列接続されることによってニッケル水素電池系列１５０が構成されている。しかしながらこれに限らず例えば、１０個以外の数のニッケル水素電池１５２が直列接続されることによってニッケル水素電池系列１５０が構成されていてもよい。ニッケル水素電池系列１５０を構成すべきニッケル水素電池１５２の数は、必要とされる電圧に応じて決定されればよい。本変形例によれば、第２蓄電装置１１２の構成の自由度を拡大できる。
【００４５】
本発明の実施例において、車載用蓄電システム１００は、アイドリングストップ、エネルギー回生システムを有する車両に搭載されている。しかしながらこれに限らず例えば、これらの機能を有しない車両へ搭載されてもよい。本変形例によれば、本発明の適用範囲を拡大できる。
【符号の説明】
【００４６】
１００  車載用蓄電システム、  １１０  第１蓄電装置、  １１２  第２蓄電装置、  １１４  電源管理装置、  １１６  スタータ、  １１８  スタータ用スイッチ、  １２０  オルタネータ、  １２２  電装品、  １２４  ＥＣＵ、  １３０  ＤＣ−ＤＣコンバータ。
【図１】
2015012682.tif 000003
【図２】
2015012682.tif 000004
【図３】
2015012682.tif 000005
【図４】
2015012682.tif 000006
【図５】
2015012682.tif 000007
【図６】
2015012682.tif 000008